(57)【要約】【課題】オフィス空間の使用に邪魔になることなく、安定して設置されるパーソナル型の空調機を提供することである。【解決手段】空調機（10）は、ケーシング（11）の内部に蒸気圧縮式冷凍サイクルの冷媒回路を備えている。ケーシング（11）の背面（11a）は磁石（17）を備え、幅長さがオフィス机（50）の鉄系材料からなる側面（53a）の幅長さよりも短く形成されている。また、ケーシング（11）の上面（11e）には、調和空気（31）の吹出口（35）と排出空気（21）の排気口（25）とが形成され、底面（11f）には、ケーシング（11）の高さ調節を行う支柱（12）を備えている。ケーシング（11）は、上面（11e）がオフィス机（50）の天板（51）と同じ高さに調節され、オフィス机（50）の前面と背面とからはみ出さないように、磁石（17）を側面（53a）に接着して固定される。【選択図】図４
2006317054.tif 000002
【特許請求の範囲】
【請求項１】
圧縮機（38）と熱源側熱交換器（23）と膨張機構（41）と利用側熱交換器（33）とを有する冷媒回路（37）が一つのケーシング（11）内に収納され、オフィス空間に配置される空調機であって、
上記ケーシング（11）をオフィス机（50）に着脱自在に固定するための固定手段（17）を備えている
ことを特徴とする空調機。
【請求項２】
請求項１において、
上記ケーシング（11）には、該ケーシング（11）の設置高さを調節するための調節機構（12）が設けられている
ことを特徴とする空調機。
【請求項３】
請求項１において、
上記固定手段（17）は、磁石で構成されている
ことを特徴とする空調機。
【請求項４】
請求項１において、
上記ケーシング（11）の上面（11e）には、調和空気（31）の吹出口（35）が形成されている
ことを特徴とする空調機。
【請求項５】
請求項１において、
上記ケーシング（11）の側面（11a）上部には、調和空気（31）の吹出口（35）が形成されている
ことを特徴とする空調機。
【請求項６】
請求項１において、
上記ケーシング（11）の上面（11e）には、排出空気（21）の排気口（25）が形成されている
ことを特徴とする空調機。
【請求項７】
請求項１において、
上記ケーシング（11）における連結面（11a）の幅長さが、上記オフィス机（50）における連結面（53a,55a）の幅長さ以下である
ことを特徴とする空調機。
【発明の詳細な説明】
【技術分野】
【０００１】
本発明は、オフィス空間に設置されるパーソナル型の空調機に関するものである。
【背景技術】
【０００２】
従来より、オフィス等の室内空間において、特定の個人を空調対象としたパーソナル空調を行う空調機がある（例えば、特許文献１）。特許文献１の空調機は、函体をなす装置本体内に、圧縮機、凝縮器、キャピラリーチューブ及び蒸発器が、収納されて小型に構成され、オフィス机や家具などの上に設置される。
【特許文献１】特開２００４−２８６２９３号公報
【発明の開示】
【発明が解決しようとする課題】
【０００３】
しかしながら、従来の机上に設置されるパーソナル型の空調機は、オフィス机の限られたスペースを占有するため、如何にコンパクト化を図っても、オフィス机を使用する際に邪魔になるという問題点があった。
【０００４】
そこで、パーソナル型の空調機は、オフィス机の近傍に床置きして設置することが考えられる。この場合、オフィス空間の通路等に設置せざるを得なくなるが、上記空調機の薄型化や軽量化等のコンパクト化を図るようにすると、設置状態が不安定となり、転倒しやすくなるという問題点がある。
【０００５】
本発明は、かかる点に鑑みてなされたものであり、オフィス空間の使用に邪魔になることなく、且つ安定して設置されるパーソナル型の空調機を提供することを目的とする。
【課題を解決するための手段】
【０００６】
第１の発明は、圧縮機（38）と熱源側熱交換器（23）と膨張機構（41）と利用側熱交換器（33）とを有する冷媒回路（37）が一つのケーシング（11）内に収納され、オフィス空間に配置される空調機であって、上記ケーシング（11）をオフィス机（50）に着脱自在に固定するための固定手段（17）を備えている。
【０００７】
この第１の発明では、圧縮機（38）と熱源側熱交換器（23）と膨張機構（41）と利用側熱交換器（33）とを有する冷媒回路（37）が一つのケーシング（11）内に収納され、ケーシング（11）がオフィス机（50）に着脱自在に固定されるので、オフィスのレイアウト変更に伴う移動や搬送が容易である。また、設置の際は、ケーシング（11）を、固定手段（17）によってオフィス机（50）に固定する。
【０００８】
第２の発明は、第１の発明において、上記ケーシング（11）には、該ケーシング（11）の設置高さを調節するための調節機構（12）が設けられている。
【０００９】
この第２の発明では、上記ケーシング（11）は設置高さの調節機構（12）が設けられているので、オフィス机（50）の高さや、オフィス机（50）を使用する空調対象者（60）の身長や座高、動線の高さ等に応じて、空調機の高さを調節する。
【００１０】
第３の発明は、第１の発明において、 上記固定手段（17）は、磁石で構成されている。
【００１１】
この第３の発明では、上記固定手段（17）が磁石であるので、適度な固定強度が確保されると共に、オフィス机（50）と空調機の着脱が容易である。また、オフィス机（50）の連結面（53a,55a）又は空調機のケーシング（11）の連結面（11a）の何れか一方が鉄系材料である場合は、鉄系材料ではない連結面にのみ磁石の固定手段（17）を取り付けることにより、オフィス机（50）に空調機を固定することが可能である。また、オフィス机（50）及び空調機の両連結面（53a,11a）が鉄系材料である場合は、何れか一方の連結面に磁石である固定手段（17）を取り付けてもよく、要するに、両連結面（53a,11a）の間に磁石を挟みこむことにより、オフィス机（50）に空調機を固定することが可能となる。
【００１２】
第４の発明は、第１の発明において、上記ケーシング（11）の上面（11e）に、調和空気（31）の吹出口（35）が形成されている。
【００１３】
この第４の発明では、上記ケーシング（11）の上面（11e）の吹出口（35）から調和空気（31）が吹き出すので、オフィス机（50）の使用者（60）の近傍に調和空気（31）が供給される。
【００１４】
第５の発明は、第１の発明において、上記ケーシング（11）の側面（11a）上部に、調和空気（31）の吹出口（35）が形成されている。
【００１５】
この第５の発明では、吹出口（35）が形成されたケーシング（11）の側面（11a）をオフィス机（50）の方向に向けることにより、オフィス机（50）の使用者（60）の近傍に調和空気（31）が供給される。
【００１６】
第６の発明は、第１の発明において、上記ケーシング（11）の上面（11e）に、排出空気（21）の排気口（25）が形成されている。
【００１７】
この第６の発明では、上記ケーシング（11）の上面（11e）の排気口（25）から、排出空気（21）が上方へ吹き出すので、オフィス机（50）の使用者（60）の方向に排出空気（21）が直接吹き出すことがない。
【００１８】
第７の発明は、第１の発明において、上記ケーシング（11）における連結面（11a）の幅長さが、上記オフィス机（50）における連結面（53a,55a）の幅長さ以下である。
【００１９】
この第７の発明では上記ケーシング（11）の連結面（11a）の幅長さが、オフィス机（50）の連結面（53a,55a）の幅長さ以下であるので、互いの連結面において、空調機のケーシング（11）がオフィス机（50）からはみ出すことがない。
【発明の効果】
【００２０】
上記第１の発明によれば、圧縮機（38）と熱源側熱交換器（23）と膨張機構（41）と利用側熱交換器（33）とを有する冷媒回路（37）が一つのケーシング（11）内に収納され、ケーシング（11）がオフィス机（50）に着脱自在に固定されるので、オフィスのレイアウト変更に伴う移動や搬送を容易に行うことができる。また、ケーシング（11）が固定手段（17）によってオフィス机（50）に固定されているので、転倒を防止することができる。
【００２１】
また、上記第２の発明によれば、上記ケーシング（11）に設けられた設置高さの調節機構（12）を調節するようにしたために、オフィス机（50）の高さや、オフィス机（50）を使用する空調対象者（60）の身長や座高、動線の高さ等に応じて、空調機の高さを調節することができるので、空調対象者（60）のオフィス机（50）の使用に合わせた適当な高さから調和空気（31）を供給することができる。
【００２２】
また、上記第３の発明によれば、上記固定手段（17）が磁石であるので、オフィス机（50）にケーシング（11）を適度な強度で固定できると共に、容易に着脱することができる。
【００２３】
また、オフィス机（50）の連結面（53a,55a）、またはケーシング（11）の連結面（11a）の何れか一方が鉄系材料である場合は、鉄系材料ではない方の連結面にのみ磁石の固定手段（17）を取り付ければ、オフィス机（50）にケーシング（11）を固定することができるので、両連結面（11a,53a）に固定手段（17）を取り付ける必要がなくなり、加工の簡素化、コストの削減を図ることができる。
【００２４】
さらに、オフィス机（50）及び空調機の両連結面（11a,53a）が鉄系材料である場合は、両連結面（11a,53a）の間に磁石を挟みこむように設けるだけで、オフィス机（50）にケーシング（11）を固定することができるので、固定手段（17）の取付工程を省略することができる。
【００２５】
また、上記第４の発明によれば、ケーシング（11）の上面（11e）の吹出口（35）から調和空気（31）が上方向へ吹き出すので、オフィス机（50）を使用する空調対象者（60）の近傍に調和空気（31）が供給されることから、空調対象者（60）の快適性の向上を図ることができる。
【００２６】
また、上記第５の発明によれば、ケーシング（11）の側面（11a）上部の吹出口（35）から調和空気（31）が吹き出すので、吹出口（35）をオフィス机（50）の方向に向けることにより、オフィス机（50）を使用する空調対象者（60）の近傍に調和空気（31）が供給されることから、空調対象者（60）の快適性の向上を図ることができる。
【００２７】
また、上記第６の発明によれば、空調機のケーシング（11）の上面（11e）の排気口（25）から排出空気（21）が吹き出すので、排出空気（21）がオフィス机（50）を使用する空調対象者（60）の方向に直接吹き出すことがなく、空調対象者（60）に不快感を与えることがない。
【００２８】
また、上記第７の発明によれば、空調機のケーシング（11）の連結面（11a）の幅長さが、オフィス机（50）の連結面（53a,55a）の幅長さ以下であるので、互いの連結面（11a,53a）において、空調機のケーシング（11）がオフィス机（50）からはみ出すことなく設置することができる。この結果、オフィス机（50）の使用やオフィス空間の通行の際に、空調機が殆ど邪魔になることがなく、また、外観も良好である。
【発明を実施するための最良の形態】
【００２９】
以下、本発明の実施形態を図面に基づいて詳細に説明する。
【００３０】
《発明の実施形態１》
図１〜４に示すように、本実施形態の空調機（10）は、冷媒を循環させる蒸気圧縮式冷凍サイクルの空調機である。
【００３１】
本実施形態の空調機（10）は、オフィス机（50）に取り付けられるパーソナル型の空調機であって、ケーシング（11）と該ケーシング（11）に収納された冷媒回路（37）とを備えている。該冷媒回路（37）は、熱源側系統（20）と利用側系統（30）とを備えている。
【００３２】
上記ケーシング（11）は、奥行きが小さい扁平な上下に長い略直方体に形成されている。つまり、上記ケーシング（11）の前面（11b）及び背面（11a）は、上下に長い長方形に形成されている。そして、上記ケーシング（11）の背面（11a）の幅長さは、オフィス机（50）の側面（53a）の幅（オフィス机の奥行き）長さよりも、やや短く形成されている。また、上記ケーシング（11）の高さは、オフィス机（50）の高さよりもやや低く形成されている。
【００３３】
上記ケーシング（11）の内部には、仕切り板（15）が設けられている。該仕切り板（15）は、ケーシング（11）の内部を左右に区画するように設けられ、図１において、左側空間の上部幅が小さく、右側空間の下部幅が小さくなるように折り曲げられている。そして、上記ケーシングの内部は、図１において、左側が熱源側系統（20）の熱源側収納部（20a）に構成され、右側が利用側系統（30）の利用側収納部（30a）に構成されている。
【００３４】
また、上記ケーシング（11）の底面（11f）には、４つの支柱（12）が設けられる一方、上記ケーシング（11）の背面（11a）がオフィス机（50）の連結面に構成されている。
【００３５】
上記冷媒回路（37）は、圧縮機（38）と流路切換手段である四路切換弁（40）と熱源側熱交換器（23）と膨張機構である膨張弁（41）と利用側熱交換器（33）とが、順に接続されて構成されている。そして、上記圧縮機（38）と四路切換弁（40）と利用側熱交換器（33）と膨張弁（41）とが利用側系統（30）を構成し、熱源側熱交換器（23）が熱源側系統（20）を構成している。そして、上記熱源側系統（20）がケーシング（11）の熱源側収納部（20a）に収納され、利用系統（30）がケーシング（11）の利用側収納部（30a）に収納されている。
【００３６】
つまり、上記利用側収納部（30a）には、圧縮機（38）と利用側熱交換器（33）と利用側ファン等（32）等が収納され、熱源側収納部（20a）には、熱源側熱交換器（23）と熱源側ファン（22）とが収納されている。
【００３７】
上記ケーシング（11）の側面であって、熱源側収納部（20a）の側面（11d）には、室内空気の熱源側吸込口（24）が形成され、利用側収納部（30a）の側面（11c）には、室内空気の利用側吸込口（34）が形成されている。
【００３８】
一方、上記ケーシング（11）の上面（11e）であって、熱源側収納部（20a）の上面には、排気口（25）が形成され、利用側収納部（30a）の上面には、吹出口（35）が形成されている。そして、上記排気口（25）及び吹出口（35）には、それぞれ風向羽根（26,36）が設けられている。上記排気口（25）の風向羽根（26）は、図１において、前後方向に延び、排出空気の風向を左右に変更するように構成されている。上記吹出口（35）の風向羽根（36）は、図１において、左右方向に延び、吹出空気の風向を前後方向に変更するように構成されている。
【００３９】
上記支柱（12）は、ケーシング（11）の高さ調節機構を構成し、図３に示すように、外筒（14）と内筒（13）とから構成されている。上記外筒（14）の下部は、円盤状の設置台（14a）に形成される一方、内周面に雌螺子が形成されている。上記内筒（13）は、ケーシング（11）の底面（11f）に取り付けられ、外周面に雄螺子が形成されている。そして、上記内筒（13）は外筒（14）に螺合され、外筒（14）を回転することによって、高さが変更されるように構成されている。
【００４０】
一方、上記ケーシング（11）の背面（11a）には、６つの磁石（17）が設けられている。該磁石（17）はケーシング（11）の背面（11a）の左右両側部において、上部と中央部と下部とに取り付けられ、固定手段を構成している。該磁石（17）は、オフィス机（50）の側面（53a）に接着して、ケーシング（11）をオフィス机（50）に固定するように構成されている。
【００４１】
上記オフィス机（50）は、図４に示すように、天板（51）と、該天板（51）を支える左右の側面板(53,54)と背面板（55）とを備え、前面が開放されている。上記天板（51）は横方向に長い矩形状の板状部材である。また、上記側面板（53,54）及び上記背面板（55）は高さが同じで、幅長さがそれぞれ上記天板（51）の短辺及び長辺と同じ長さに形成された矩形状の板状部材である。そして、上記側面板（53,54）は、上記天板（51）の短辺に垂直に接続され、上記背面板（55）は、上記天板（51）の長辺に垂直に接続されている。これにより、上記側面板(53,54)の外面が、オフィス机の側面（53a,54a）を形成し、上記背面板（55）の外面が、オフィス机（50）の背面（55a）を形成するように構成されている。また、上記側面板（53,54）及び背面板（55）は、共に鉄系材料で構成されている。
【００４２】
−作用−
次に上記空調機（10）の作用について説明する。
【００４３】
先ず、図４に示すように、上記空調機（10）のケーシング（11）は、４本の支柱（12）の外筒（14）を回転して高さ調節され、上記ケーシング（11）の上面（11e）が上記オフィス机（50）の天板（51）と同じ高さになるように調節される。そして、上記ケーシング（11）は、該ケーシング（11）の熱源側吸込口（24）を備えた側面（11d）及び利用側吸込口（34）を備えた側面（11c）とが、共にオフィス机（50）の前面及び背面からはみ出さないようにして、上記ケーシング（11）の背面（11a）に設けた磁石（17）を上記オフィス机（50）の側面（53a）に接着して固定される。
【００４４】
冷房運転時においては、図２に示す冷媒回路（37）は、四路切換弁（40）が実線で示す状態になる。空調機（10）の運転の開始をセットすると、熱源側ファン（22）及び利用側ファン（32）が駆動し、冷媒は実線の矢印方向に循環を開始する。つまり、冷媒が、圧縮機（38）から四路切換弁（40）を介して熱源側熱交換器（23）に流れて凝縮した後、膨張弁（41）で膨張し、利用側熱交換器（33）で蒸発して圧縮機に戻る。
【００４５】
上記利用側収納部（30a）では、利用側吸込口（34）から取り込まれた室内空気が、利用側熱交換器（33）により冷媒と熱交換して温度低下した調和空気（31）となる。その後、調和空気（31）は、図４の実線の矢印に示すように、吹出口（35）の風向羽根（36）により、吹出口（35）から直上方向へと吹き出される。調和空気（31）は室内空気の温度より低いため、吹出口（35）から流出した後に降下するので、空調対象者（60）の近傍が冷却される。
【００４６】
一方、熱源側収納部（20a）では、熱源側吸込口（24）から取り込まれた室内空気は、熱源側熱交換器（23）により冷媒と熱交換して温度上昇した排出空気（21）となる。その後、排出空気（21）は、図４の実線の矢印に示すように、排気口（25）の風向羽根（26）により、排気口（25）から直上方向へと吹き出される。排出空気（21）は室内空気の温度より高いため、排気口（25）から流出した後に、さらに直上方向へと上昇し、空調対象者（60）に影響を与えることはない。
【００４７】
暖房運転時においては、図２に示す冷媒回路（37）の四路切換弁（40）は破線の状態に切り換わる。そして、上記空調機（10）の運転の開始をセットすると、熱源側ファン（22）及び利用側ファン（32）が駆動し、冷媒は図２の破線の矢印で示すように、圧縮機から四路切換弁（40）を介して利用側熱交換器（33）に流れて凝縮した後、膨張弁（41）で膨張し、熱源側熱交換器（23）で蒸発して圧縮機に戻る。
【００４８】
上記利用側収納部（30a）では、利用側吸込口（34）から取り込まれた室内空気が、利用側熱交換器（33）により冷媒と熱交換して温度上昇した調和空気（31）となる。その後、調和空気（31）は、図４の破線の矢印に示すように、吹出口（35）の風向羽根（36）により、吹出口（35）からオフィス机（50）の方向へ向けて斜め上方へと吹き出される。これにより、空調対象者（60）の周辺には、快適な高温空気が供給される。
【００４９】
一方、上記熱源側収納部（20a）では、熱源側吸込口（24）から取り込まれた室内空気は、熱源側熱交換器（23）により冷媒と熱交換して低温の排出空気（21）となる。その後、排出空気（21）は、図４の破線の矢印に示すように、排気口（25）の風向羽根（26）により、排気口（25）から空調対象者（60）と反対の方向へ流出するので、空調対象者（60）に影響を与えることはない。
【００５０】
−実施形態１の効果−
上記実施形態１によれば、上記空調機（10）は、ケーシング（11）がオフィス机（50）の前面（11b）及び背面（11a）からはみ出さないようにして設置されるので、オフィス空間の使用において、ほとんど邪魔になることがない。
【００５１】
また、上記ケーシング（11）は、該ケーシング（11）の背面（11a）に磁石（17）を設けているので、オフィス机（50）の鉄系材料からなる側面（53a）に固定して設置することができる。そして、上記磁石（17）は、上記ケーシング（11）の背面（11a）において左右両側部の上部、中央部、下部に設けられているため、オフィス机（50）及びケーシング（11）の互いの連結面（11a,53a）を確実に固定することができるので、空調機（10）の転倒を防止することができる。また、上記磁石（17）は、上記ケーシング（11）の背面（11a）の全面に設けられていないので、オフィス机（50）と空調機（10）の着脱を容易に行うことができる。
【００５２】
また、上記ケーシング（11）は、該ケーシング（11）の底面（11f）に設けた支柱（12）により、ケーシング（11）の高さを調節することができる。これにより、上記ケーシング（11）は、吹出口（35）と排気口（25）とを備えた上面（11e）がオフィス机（50）の天板（51）と同じ高さに調節されるので、調和空気（31）を空調対象者（60）の近傍に供給することができると共に、排出空気（21）が空調対象者（60）の方向に吹き出すことを防止することができる。
【００５３】
具体的には、冷房運転時においては、調和空気（31）は、ケーシング（11）の上面（11e）の吹出口（35）から直上方向へ吹き出された後、室内空気より低温であるため、空調対象者（60）の頭部から下方へ流れる。また、排出空気（21）は、ケーシング（11）の上面（11e）の排気口（25）から直上方向へ排出された後、室内空気より高温であるので、天井方向に上昇する。
【００５４】
一方、暖房運転時においては、調和空気（31）は、ケーシング（11）の上面（11e）の吹出口（35）からオフィス机（50）に向けてやや斜め上方へ吹き出されるので、上記調和空気（31）を空調対象者（60）に供給される。また、排出空気（21）は、ケーシング（11）の上面（11e）の排気口（25）から空調対象者（60）と反対の方向へ排出される。以上のようにして、空調対象者（60）の近傍には、排出空気（21）の影響が殆ど及ぶことなく、快適な調和空気（31）が供給される。
【００５５】
《発明の実施形態２》
本発明の実施形態２を、図５に基づいて説明する。上記実施形態１では、空調機（10）のケーシング（11）の上面（11e）に、吹出口（35）と排気口（25）とが共に設けられていたことに代わり、本実施形態では、吹出口（35）がケーシング（11）の背面（11a）の上部に設けられ、排気口（25）のみがケーシング（11）の上面（11e）に設けられている。そして、本実施形態では、上記ケーシング（11）の背面（11a）の上部に吹出口（35）を設けたことにより、固定手段である磁石（17）は、背面（11a）の左右両側部において、吹出口（35）の直ぐ下の位置と、中央部、下部に設けられている。
【００５６】
図５に示すように、本実施形態では、上記ケーシング（11）の背面（11a）に設けた吹出口（35）が、支柱（12）の外筒（14）を回転して高さ調節され、オフィス机（50）の天板（51）の上方に位置するように設置される。そして、上記実施形態１と同様に、上記ケーシング（11）は、該ケーシング（11）の背面（11a）に設けた磁石（17）を、オフィス机（50）の側面（53a）に接着して、固定される。また、このとき、上記ケーシング（11）は、オフィス机（50）の前面及び背面からはみ出さないようにして設置される。
【００５７】
冷房運転時においては、調和空気（31）及び排出空気（21）は、図５の実線の矢印の方向に流出する。つまり、調和空気（31）は、吹出口（35）の風向羽根（36）により、吹出口（35）からオフィス机（50）の上方へ流出した後に、室内空気より低温であるために下降するので、空調対象者（60）の近傍が冷却される。また、排出空気（21）は、排気口（25）の風向羽根（26）により、排気口（25）から直上方向へ流出して上昇する。
【００５８】
一方、暖房運転時においては、調和空気（31）及び排出空気（21）は、図５の破線の矢印の方向に流出する。つまり、調和空気（31）は、吹出口（35）に設けられた風向羽根（36）により、オフィス机（50）の方向へ向かって吹き出される。また、排出空気（21）は室内空気より低温であるので、排気口（25）に設けられた風向羽根（26）により、排気口（25）から空調対象者（60）と反対の方向に排出される。以上のようにして、冷房運転時及び暖房運転時の何れにおいても、本実施形態の空調機（10）は、空調対象者（60）に排出空気（21）の影響を殆ど与えることなく、快適な調和空気（31）を空調対象者（60）に提供することができる。その他の構成、作用及び効果は、実施形態１と同じである。
【００５９】
《発明の実施形態３》
本発明の実施形態３を図６に基づいて説明する。上記実施形態１では、上記空調機（10）が、ケーシング（11）の背面（11a）をオフィス机（50）の側面（53a）に固定して設置されたことに代わり、本実施形態では、図６に示すように、ケーシング（11）の背面（11a）を、オフィス机（50）の背面（55a）に固定して設置される。また、上記実施形態１では、吹出口（35）と排気口（35）とがケーシング（11）の上面に左右並列に設けられたのに代わり、本実施形態は、吹出口（35）と排気口（25）とが前後に並列に形成したものである。つまり上記ケーシング（11）の上面（11e）は、前後方向に湾曲した断面半円弧状に形成されている。そして、上記ケーシング（11）の上面（11e）の背面側（机側）に吹出口（35）が形成され、前面側（机と反対側）に排気口（25）が形成されている。さらに、上記吹出口（35）と排気口（25）とは、ケーシング（11）の両側に亘って形成されている。
【００６０】
本実施形態では、図６に示すように、上記空調機（10）のケーシング（11）の背面（11a）に設けた吹出口（35）が、支柱（12）の外筒（14）を回転して高さ調節され、オフィス机（50）の天板（51）の上方に位置するように設置される。そして、上記空調機（10）のケーシング（11）の背面（11a）は、該背面（11a）に設けた磁石（17）を、オフィス机（50）の背面（55a）に接着して、固定される。また、このとき、上記空調機（10）は、オフィス机（50）の左右両端からはみ出さないようにして設置される。
【００６１】
冷房運転時においては、調和空気（31）及び排出空気（21）は、図６の実線の矢印の方向に流出する。つまり、調和空気（31）は、室内空気より低温であるため、吹出口（35）の風向羽根（36）によりオフィス机（50）の上方へ流出した後に下降するので、空調対象者（60）の近傍が冷却される。また、排出空気（21）は、室内空気より高温であるので、排気口（25）の風向羽根（26）により直上方向へ流出した後、さらに上昇するので、空調対象者（60）に影響を与えることがない。
【００６２】
一方、暖房運転時においては、調和空気（31）及び排出空気（21）は、図６の破線の矢印の方向に流出する。つまり、調和空気（31）は、吹出口（35）に設けられた風向羽根（36）により、オフィス机（50）の方向へ向かって吹き出されるので、空調対象者（60）の近傍には快適な高温空気が供給される。また、排出空気（21）は室内空気より低温であるので、排気口（25）に設けられた風向羽根（26）により、排気口（25）からオフィス机（50）と反対の方向に排出されるので、空調対象者（60）に影響を与えることがない。以上のようにして、冷房運転時及び暖房運転時の何れにおいても、上記空調機（10）は、空調対象者（60）に排出空気（21）の影響を殆ど与えることなく、快適な調和空気（31）を空調対象者（60）に提供することができる。その他の構成、作用及び効果は、実施形態１と同じである。
【００６３】
《その他の実施形態》
上記実施形態については、以下のような構成としてもよい。
【００６４】
本実施形態１〜３の空調機（10）では、オフィス机（50）との連結面であるケーシング（11）の背面（11a）において、左右両側部の上部と中央部と下部に磁石（17）を設けたが、磁石（17）の位置や個数は、これに限定されない。オフィス机（50）と空調機（10）のケーシング（11）との連結面において所定の固定強度が得られ、空調機（10）の転倒が防止できれば、空調機の大きさや、使用する磁石の大きさや強度等に応じて、適宜変更してもよい。
【００６５】
また、上記実施形態１〜３では、上記オフィス机（50）の側面板（53）及び背面板（55）が鉄系材料を加工して形成されているが、少なくともケーシング（11）との連結面となる側面（53a）及び背面（55a）が鉄系材料で構成されていればよい。そして、オフィス机（50）の側面板（53）及び背面板（55）が鉄系材料でなくとも、ケーシング（11）の背面（11a）が鉄系材料で構成されていれば、オフィス机（50）の側面（53a）又は背面（55a）に磁石（17）を設ければよい。また、オフィス机（50）とケーシング（11）との連結面が、共に鉄系材料であれば、磁石（17）を挟み込むようにして設置することにより、空調機（10）をオフィス机（50）に固定して設置することができるので、固定手段の取付工程を省略することができる。また、オフィス机（50）の側面板（53）及び背面板（53）と、空調機（10）のケーシング（11）が共に鉄系材料でなければ、互いの連結面にそれぞれ磁石（17）を設ければよい。さらに、第１の発明における固定手段（17）は磁石に限定されない。
【００６６】
また、上記実施形態１〜３の空調機（10）における高さ調節は、ケーシング（11）の支柱（12）の内筒（13）と外筒（14）とを螺合わせることにより行ったが、支柱（12）による高さ調節機構はこれに限定されない。さらに、高さ調節機構は支柱に限られず、ケーシング（11）を支える台などを用いてもよい。
【００６７】
また、上記実施形態１〜３の空調機（10）では、ケーシング（11）の背面（11a）の幅長さは、該背面（11a）が連結するオフィス机（50）の側面（53a）及び背面（55a）よりも短く設定されていたが、オフィス机（50）の連結面（53a,55a）の幅長さと同じ長さでもよく、この場合も、オフィス机（50）との連結部においてケーシング（11）をはみ出さずに設置することができる。また、第１の発明においては、ケーシング（11）の背面（11a）の幅長さが、オフィス机の連結面（53a,55a）よりも長くてもよく、ケーシングの背面（11a）の左右両端の少なくとも一方が、オフィス机（50）の連結面（53a,55a）からはみ出さないようにするなど、設置される環境に応じて、できるだけ邪魔にならないように適宜設置すればよい。
【００６８】
また、上記実施形態１〜３の空調機（10）では、ケーシング（11）の上面（11e）や背面（11a）又は前面（11b）の上部に吹出口（35）や排気口（25）を設けたが、第１の発明においては、吹出口（35）及び排気口（25）の設置位置はこれに限定されない。また、調和空気（31）及び排出空気（21）の吹き出し方向も上記実施形態１〜３に示す方向に限定されず、空調対象者（60）に調和空気（31）が確実に提供され、排出空気（31）の影響が軽減される位置に設けられていればよい。さらに、調和空気（31）及び排出空気（21）は、ケーシング（11）の吹出口（35）及び排気口（25）から直接吹き出されず、ダクト等を介して吹き出されるようにしてもよい。
【００６９】
また、上記実施形態１〜３の空調機（10）は、冷房運転と暖房運転の切換運転を行うが、冷房運転又は暖房運転のみを行う空調機であってもよい。
【００７０】
なお、以上の実施形態は、本質的に好ましい例示であって、本発明、その適用物、あるいはその用途の範囲を制限することを意図するものではない。
【産業上の利用可能性】
【００７１】
以上説明したように、オフィス空間に設置されるパーソナル型の空調機として有用である。
【図面の簡単な説明】
【００７２】
【図１】実施形態１に係る空調機の外形及び内部構造を示す斜視図である。
【図２】実施形態１に係る空調機の冷媒回路を示す回路図である。
【図３】実施形態１に係る空調機の支柱の高さ調節機構を示す斜視図である。
【図４】実施形態１に係る空調機の設置状態を示す斜視図である。
【図５】実施形態２に係る空調機の設置状態を示す斜視図である。
【図６】実施形態３に係る空調機の設置状態を示す斜視図である。
【符号の説明】
【００７３】
10              空調機
11              ケーシング
11a             背面（側面、連結面）
12              支柱（調節機構）
17              磁石（固定手段）
21              排出空気
23              熱源側熱交換器
25              排気口
31              調和空気
33              利用側熱交換器
35              吹出口
37              冷媒回路
38              圧縮機
41              膨張弁（膨張機構）
50              オフィス机
53a             側面（連結面）
55a             背面（連結面）
【図１】
2006317054.tif 000003
【図２】
2006317054.tif 000004
【図３】
2006317054.tif 000005
【図４】
2006317054.tif 000006
【図５】
2006317054.tif 000007
【図６】
2006317054.tif 000008